(57)【要約】【課題】人を乗せて簡便に移動させる用具として、強い握力を必要とせず少人数で移動でき、使用が面倒でない救護介護用移動補助シートを提供する。【解決手段】連結手段５が設けられたシート本体１の角部３を、角に向かって棒状に絞った状態で、リング１１に通し、Ｕターン状態にして再度通す。そして、このリング１１に再度通した部分に設けられた連結手段５と、再度通す手前の部分の連結手段５とを互いに連結する。そして、シート本体１を患者の身体の下に敷き、使用者は、Ｕターン状態の部分に手首を通し、シート本体１の角部３に近い部分を掌でつかむ。使用者は２人で、患者の左右から両手で、同様に、行なう。その後に患者を持上げ移動する。【選択図】図１
0003157071.tif 000002
【実用新案登録請求の範囲】
【請求項１】
四角形のシート本体と、このシート本体の４つの角部に設けられ所定距離離れた相手と互いを連結する一対の連結手段と、この連結手段が設けられた前記シート本体の角部を角に向かって棒状に絞った状態で、Ｕターン状態に２回通すことが可能な大きさのリングを少なくとも合計４個と、を有し、前記所定距離は、前記リングの片側横断面の周囲を囲める距離であることを特徴とする救護介護用移動補助シート。
【請求項２】
前記連結手段は、ホックボタン、スナップボタン、またはハトメボタンであることを特徴とする請求項１に記載の救護介護用移動補助シート。
【考案の詳細な説明】
【技術分野】
【０００１】
この考案は、人の救護や介護などにおいて、人を乗せて簡便に移動させる用具の構造に関する。
【背景技術】
【０００２】
人の救護や介護などにおいて、人を乗せて簡便に移動させる用具が必要とされる場合がある。例えば、病院や介護施設などで、自力で立ち上がることが困難な人すなわち患者を、短い距離を移動させる場合である。具体的には、そのような患者さんを車椅子からストレッチャーや診察室のベットへ移動させる場合などがある。
【０００３】
従来の、人を乗せて簡便に移動させる道具として、特許文献１には、患者を搬送するための用具で、四角形の本体の四方周囲に多数の取手が形成された用具が記載される。
また、特許文献２には、患者を搬送するために患者の衣服に複数の係止部が形成された用具が記載される。  
【先行技術文献】
【特許文献】
【０００４】
【特許文献１】実開平０６−０６１２２８
【特許文献２】特開平０８−０８０３１９
【考案の概要】
【考案が解決しようとする課題】
【０００５】
しかしながら、特許文献１では、用具の取手は、搬送者が掌でつかまなくてはならず、強い握力を必要とする。このため、搬送には多人数が必要である。
また、特許文献２では、患者にあらかじめ特殊な衣服を着せておく必要があり、面倒である。
この考案は、以上の問題点を解決するために、人を乗せて簡便に移動させる用具として、強い握力を必要とせず少人数で移動でき、使用が面倒でない救護介護用移動補助シートを提供することを目的とする。
【課題を解決するための手段】
【０００６】
以上の課題を解決するために、第一考案は、四角形のシート本体と、このシート本体の４つの角部に設けられ所定距離離れた相手と互いを連結する一対の連結手段と、この連結手段が設けられた前記シート本体の角部を角に向かって棒状に絞った状態で、Ｕターン状態に２回通すことが可能な大きさのリングを少なくとも合計４個と、を有し、前記所定距離は、前記リングの片側横断面の周囲を囲める距離であることを特徴とする救護介護用移動補助シートである。
【０００７】
第二考案は、さらに、前記連結手段は、ホックボタン、スナップボタン、またはハトメボタンであることを特徴とする救護介護用移動補助シートである。
【考案の効果】
【０００８】
第一、又は第二考案によれば、連結手段が設けられたシート本体の角部を、角に向かって棒状に絞った状態で、リングに通し、Ｕターン状態にして再度通す。そして、このリングに再度通した部分に設けられた連結手段と、再度通す手前の部分の連結手段とを互いに連結する。これにより、連結は、リングの片側横断面の周囲を囲んでなされる。この連結により、シート本体の角部は、Ｕターン状態でリングに固定される。
【０００９】
そして、シート本体を患者の身体の下に敷き、使用者は、Ｕターン状態の部分に手首を通し、シート本体の角部に近い部分を掌でつかむ。使用者は２人で、患者の左右から両手で、同様に、行なう。その後に患者を持上げ移動する。
これにより、患者の重みは、Ｕターン状態の部分を介して手首に支えられ、シート本体の角部に近い部分を介して掌につかまれて支えられる。このとき手首は、リングの働きで、Ｕターン状態の部分に強く摩擦し、握力を必要としない。また、重みは、手首と掌に分散される。
【００１０】
よって、使用者２人という少人数で、患者の移動ができる。用具は、そのときだけ、患者の身体の下に敷けばよく、使用は面倒ではない。
【図面の簡単な説明】
【００１１】
【図１】この考案の一実施形態を示す全体図で（Ａ）は組み立てる前の図、（Ｂ）は組み立てた後の図である。
【図２】（Ａ）〜（Ｆ）は図１の角部の組み立て手順を示す図である。
【図３】図１の使用状態を示す図である。
【考案を実施するための形態】
【００１２】
この考案の実施形態を、図１から図３に示す。
「救護介護用移動補助シートの構成」
四角形のシート本体１は布製であり、人を乗せて移動するのに十分な大きさを有する。
この布の材質は、スベリがよく、患者の下に敷く際に、敷き易い材質が望ましい。例えば、パラシュートに使われる布等である。具体的には、グレイトツイルGR-501などが優れる。
このシート本体１の４つの角部３に、連結手段５であるプラスチック製のスナップボタンが設けられる。スナップボタンは、スナップボタン雄型７とスナックボタン雌型８が一対ずつ、所定距離13離れて設けられ、相手と互いに押圧されることで連結する。これらスナップボタン雄型７とスナックボタン雌型８が設けられたシート本体１の角部３を角に向かって棒状に絞った状態で、Ｕターン状態に２回通すことが可能な大きさのリング１１を、４つの角部３に２つずつ合計８個、準備する。スナップボタン雄型７とスナックボタン雌型８の所定距離１３は、２つのリング１１の片側の円形横断面が連続した周囲を囲めるに十分な距離である。
【００１３】
「救護介護用移動補助シートの組み立て手順」
この救護介護用移動補助シートの組み立て手順を図２を中心に説明する。
連結手段５であるスナップボタン７，８が設けられたシート本体１の角部３を、その角に向かって棒状に絞った状態にする（図２（Ａ）（Ｂ））。そして、２つのリング１１に続けて通す（図２（Ｃ））。
さらに、大きくＵターン状態にして再度通す（図２（Ｄ））。このとき、一方の連結手段５（例えばスナップボタン雄型７）だけを通す。そして、このリング１１に再度通した部分に設けられた連結手段５（スナップボタン雄型７）と、再度通す手前の部分の連結手段５（スナップボタン雌型８）とを互いに、指で押圧させることで、連結する（図２（Ｅ））。これにより、連結は、２つのリング１１の片側の円形横断面が連続した周囲を、囲んでなされる。この連結により、シート本体１の角部３は、Ｕターン状態で、２つのリング１１に強固に固定される。
【００１４】
そして、シート本体１を患者の身体の下に敷き（図３参照）、使用者は、Ｕターン状態の部分に手首を通し、シート本体１の角部３に近い部分を掌でつかむ（図２（Ｆ））。使用者は２人で、患者の左右から両手で、同様に、行なう（図３参照）。その後に患者を持上げ移動する。
【００１５】
「作用効果」
これにより、患者の重みは、Ｕターン状態の部分を介して手首に支えられる。なお、図２（Ｆ）は未だ重みが加わっていない状態であるが、重みが加わった状態では、Ｕターン状態の部分は手首に密着する。このとき手首は、リング１１の働きで、Ｕターン状態の部分に強く摩擦し、大きな握力を必要としない。
【００１６】
のみならず、シート本体１の角部３に近い部分を介して掌につかまれて支えられる。このため、患者の重みは、手首と掌に分散される。
よって、使用者２人という少人数で、患者の移動ができる。用具は、そのときだけ、患者の身体の下に敷けばよく、使用は面倒ではない。
【００１７】
「他の実施形態」
以上の実施形態では、連結手段５は、スナップボタンであったが、他の実施形態では、他のボタン類、例えばホックボタン、またはハトメボタンなどでも良い。また、通常のボタンとボタン穴でも良い。さらには、他の金具、例えばナスカンとＯカンなどの組合わせとしても良い。
【００１８】
以上の実施形態では、リング１１は４つの角部３に２つずつ合計８個設けることで、強度を向上し、リング１１に対する使用者の手への接触感を柔らかいものにした。しかし、他の実施形態では、４つの角部３に大きめのリング１１を１つずつ合計４個設けることもできる。
【符号の説明】
【００１９】
１…シート本体、３…角部、５…連結手段、７…スナップボタン雄型、８…スナックボタン雌型、１１…リング、１３…所定距離。
【図１】
0003157071.tif 000003
【図３】
0003157071.tif 000004
【図２】
0003157071.tif 000005